(57)【要約】      （修正有）【課題】不活性ガス雰囲気下で廃棄物を焼却してダイオキシン類を発生させないのは勿論、燃焼ガスを低温化し他の有害物質も除去して放出でき、しかも、これらを簡単且つ安価な装置構成で実現できる廃棄物焼却装置を提供する。【解決手段】窒素等の不活性ガス雰囲気中で廃棄物を焼却する焼却炉１に、廃棄物から生じる燃焼ガスが導入され冷却される冷却槽２を連設し、この冷却槽２には、燃焼ガスを冷却することで液化した有害物質等の不純成分を溜めておく貯留部８を設け、この液化した不純成分を冷却液として冷却槽２内に循環噴霧するように構成し、この冷却槽２に、吸着槽４を連設し、この吸着槽４には、冷却層を通過した燃焼ガスに含まれる残余の不純成分を吸着除去する多数の吸着材から成り、水等の液体が噴霧される吸着層３を設け、これら焼却炉１，冷却槽２及び吸着槽４の内圧を大気圧に対しやや負圧に保持する排気駆動機構５を備えた。【選択図】      図１
2006226630.tif 000002
【特許請求の範囲】
【請求項１】
窒素等の不活性ガス雰囲気中で廃棄物を焼却する焼却炉に、この焼却炉で加熱・焼却される廃棄物から生じる燃焼ガスが導入される冷却槽を連設し、この冷却槽には、前記燃焼ガスを冷却することで燃焼ガスに含まれる有害物質等の不純成分を液化せしめて除去し得るように、液化した前記不純成分を溜めておく貯留部を設け、この液化した不純成分を冷却液として冷却槽内に循環噴霧せしめることでこの冷却槽を通過する前記燃焼ガスが冷却されるように構成し、この冷却槽に、前記冷却槽を通過した燃焼ガスが導入される吸着槽を連設し、この吸着槽には、前記冷却槽を通過した前記燃焼ガスに含まれる残余の不純成分を除去し得るように、前記不純成分を吸着除去する多数の吸着材から成り水等の液体が噴霧せしめられる吸着層を設け、前記燃焼ガスをこの多数の吸着材間を通過せしめることで前記燃焼ガスから残余の不純成分が吸着除去されるように構成し、この焼却炉，冷却槽及び吸着槽を密閉状態に構成して、これら焼却炉，冷却槽及び吸着槽の内圧を大気圧に対しやや負圧に保持する排気駆動機構を備えたことを特徴とする廃棄物焼却装置。
【請求項２】
前記吸着槽に、前記吸着層を通過した前記燃焼ガスを再度この吸着層を通過させるためのバイパス路を設けたことを特徴とする請求項１記載の廃棄物焼却装置。
【請求項３】
球状，円筒状若しくは棒状の吸着材を多数密集状態に設けて前記吸着層を構成したことを特徴とする請求項１，２のいずれか１項に記載の廃棄物焼却装置。
【請求項４】
前記焼却炉には、不活性ガスを焼却炉内に存する酸素を押し出すように大量に供給して一気に不活性ガス雰囲気に置換した後、少量ずつ供給する不活性ガス供給部を連設したことを特徴とする請求項１〜３のいずれか１項に記載の廃棄物焼却装置。
【発明の詳細な説明】
【技術分野】
【０００１】
本発明は、廃棄物焼却装置に関するものである。
【背景技術】
【０００２】
近年、ダイオキシン類特別措置法や廃棄物処理法が厳格化されたことで、廃棄物処理装置に要求される性能は高度化している。
【０００３】
また、ダイオキシン類を生じさせずに焼却するために、廃棄物を窒素雰囲気下で焼却する焼却炉が知られているが、ダイオキシン類だけでなく、他の有害物質の除去も行わなければ対環境能力は十分とは言えない。
【０００４】
そこで、例えば特許文献１に開示されているような、夫々加熱温度の異なる複数の加熱室により順次連続的に加熱することで廃棄物の無害化処理を行う構成の廃棄物処理装置が提案されているが、加熱室を複数設ける構成ではどうしても高価にならざるを得ない。
【０００５】
【特許文献１】特開２００３−２０５２８１号公報
【発明の開示】
【発明が解決しようとする課題】
【０００６】
本発明は、上述のような現状に鑑み、不活性ガス雰囲気下で廃棄物を焼却してダイオキシン類を発生させないのは勿論、燃焼ガスを低温化し且つ他の有害物質も除去して無毒化して放出でき、しかも、これらを簡単且つ安価な装置構成で実現できる極めて実用性に秀れた廃棄物焼却装置を提供することを目的とする。
【課題を解決するための手段】
【０００７】
添付図面を参照して本発明の要旨を説明する。
【０００８】
窒素等の不活性ガス雰囲気中で廃棄物を焼却する焼却炉１に、この焼却炉１で加熱・焼却される廃棄物から生じる燃焼ガスが導入される冷却槽２を連設し、この冷却槽２には、前記燃焼ガスを冷却することで燃焼ガスに含まれる有害物質等の不純成分を液化せしめて除去し得るように、液化した前記不純成分を溜めておく貯留部８を設け、この液化した不純成分を冷却液として冷却槽２内に循環噴霧せしめることでこの冷却槽２を通過する前記燃焼ガスが冷却されるように構成し、この冷却槽２に、前記冷却槽２を通過した燃焼ガスが導入される吸着槽４を連設し、この吸着槽４には、前記冷却槽２を通過した前記燃焼ガスに含まれる残余の不純成分を除去し得るように、前記不純成分を吸着除去する多数の吸着材から成り水等の液体が噴霧せしめられる吸着層３を設け、前記燃焼ガスをこの多数の吸着材間を通過せしめることで前記燃焼ガスから残余の不純成分が吸着除去されるように構成し、この焼却炉１，冷却槽２及び吸着槽４を密閉状態に構成して、これら焼却炉１，冷却槽２及び吸着槽４の内圧を大気圧に対しやや負圧に保持する排気駆動機構５を備えたことを特徴とする廃棄物焼却装置に係るものである。
【０００９】
また、前記吸着槽４に、前記吸着層３を通過した前記燃焼ガスを再度この吸着層３を通過させるためのバイパス路６を設けたことを特徴とする請求項１記載の廃棄物焼却装置に係るものである。
【００１０】
また、球状，円筒状若しくは棒状の吸着材を多数密集状態に設けて前記吸着層３を構成したことを特徴とする請求項１，２のいずれか１項に記載の廃棄物焼却装置に係るものである。
【００１１】
また、前記焼却炉１には、不活性ガスを焼却炉１内に存する酸素を押し出すように大量に供給して一気に不活性ガス雰囲気に置換した後、少量ずつ供給する不活性ガス供給部７を連設したことを特徴とする請求項１〜３のいずれか１項に記載の廃棄物焼却装置に係るものである。
【発明の効果】
【００１２】
本発明は、上述のように構成したから、不活性ガス雰囲気下で廃棄物を焼却してダイオキシン類を発生させないのは勿論、燃焼ガスを低温化し且つ他の有害物質も除去して無毒化して放出でき、しかも、これらを簡単且つ安価な装置構成で実現できる極めて実用性に秀れた廃棄物焼却装置となる。
【００１３】
また、請求項２，３記載の発明においては、一層良好に燃焼ガスから不純成分を除去できる一層実用性に秀れたものとなる。
【００１４】
また、請求項４記載の発明においては、一層効率良く焼却炉内を不活性ガス雰囲気に置換できる一層実用性に秀れたものとなる。
【発明を実施するための最良の形態】
【００１５】
好適と考える本発明の実施形態（発明をどのように実施するか）を、図面に基づいて本発明の作用を示して簡単に説明する。
【００１６】
焼却炉１に廃棄物を投入して窒素を充填し、廃棄物が酸化しない状態で加熱・焼却すると、廃棄物からはダイオキシン類が含まれない燃焼ガスが生じる。
【００１７】
また、ダイオキシン類以外の有害物質等の不純成分は、冷却槽２及び吸着槽４により除去することができる。
【００１８】
具体的には、冷却槽２において前記燃焼ガスを冷却することで、この燃焼ガスに含まれる前記不純成分を液化せしめて燃焼ガスから除去する。
【００１９】
この際、この冷却槽２には液化した前記不純成分を溜めておく貯留部８を設け、液化した不純成分を冷却液として冷却槽２内に循環噴霧せしめることでこの冷却槽２を通過する前記焼却ガスを冷却するように構成しているから、液化した不純成分を外部に廃棄することなく、半永久的に冷却液として利用できることになり、処理が厄介な毒劇物等の処理が極めて容易となる。
【００２０】
更に、吸着槽４において多数の吸着材から成り水等の液体が噴霧せしめられる吸着層３に前記燃焼ガスを通過せしめることにより、不純成分を吸着除去する。
【００２１】
この際、多数の吸着材間には前記水が存する状態となるから、燃焼ガスがこの吸着材間を抜ける時間が長くなり、それだけ吸着層３における不純成分の吸着が良好に行われることになる。
【００２２】
特に、多数密集状態に設けた吸着材、例えば揉み洗い可能なシリコンチューブにより前記吸着層３を構成すれば、不純成分を良好に吸着除去できるのは勿論、安価にしてメンテナンスも容易で極めて経済的となる。また、更に前記吸着層３を備えた吸着槽４に、前記吸着層３を通過した前記燃焼ガスを再度この吸着層３を通過させるためのバイパス路６を設けた場合には、一層効率的に前記燃焼ガスから不純成分を除去できることになる。
【００２３】
その上、前記焼却炉１，冷却槽２及び吸着槽４の内圧を夫々大気圧に対して負圧に設定することで、外部に前記燃焼ガスが漏出せず、前記冷却槽２及び吸着槽４を確実に通過させ、前記燃焼ガスから不純成分を除去して無害化し且つ低温化した状態で外部に放出できる。
【００２４】
また、例えば、前記焼却炉１に、不活性ガスを焼却炉１内に存する酸素を押し出すように大量に供給して一気に不活性ガス雰囲気に置換した後、少量ずつ供給する不活性ガス供給部７を連設した場合には、不活性ガスの過剰な供給を阻止して一層効率的な運転が可能となる。
【００２５】
従って、本発明は、不活性ガス雰囲気下で廃棄物を焼却してダイオキシン類を発生させないのは勿論、燃焼ガスを低温化し且つ他の有害物質も除去して無毒化して放出でき、しかも、これらを簡単且つ安価な装置構成で実現できる極めて実用性に秀れた廃棄物焼却装置となる。
【実施例】
【００２６】
本発明の具体的な実施例について図面に基づいて説明する。
【００２７】
本実施例は、窒素等の不活性ガス雰囲気中で廃棄物を焼却する焼却炉１に、この焼却炉１で加熱・焼却される廃棄物から生じる燃焼ガスが導入される冷却槽２を連設し、この冷却槽２には、前記燃焼ガスを冷却することで燃焼ガスに含まれる有害物質等の不純成分を液化せしめて除去し得るように、液化した前記不純成分を溜めておく貯留部８を設け、この液化した不純成分を冷却液として冷却槽２内に循環噴霧せしめることでこの冷却槽２を通過する前記燃焼ガスが冷却されるように構成し、この冷却槽２に、前記冷却槽２を通過した燃焼ガスが導入される吸着槽４を連設し、この吸着槽４には、前記冷却槽２を通過した前記燃焼ガスに含まれる残余の不純成分を除去し得るように、前記不純成分を吸着除去する多数の吸着材から成り水等の液体が噴霧せしめられる吸着層３を設け、この多数の吸着材間を通過することで前記燃焼ガスから残余の不純成分が吸着除去されるように構成し、この焼却炉１，冷却槽２及び吸着槽４を密閉状態に構成して、これら焼却炉１，冷却槽２及び吸着槽４の内圧を大気圧に対しやや負圧に保持する排気駆動機構５を備えたものである。
【００２８】
各部を具体的に説明する。
【００２９】
焼却炉１は、内部に多数のヒータを設けた公知の密閉性良好なものを採用している。また、本実施例の焼却炉１には、過熱防止のためのサイリスタやパワー系トランジスタで構成されたＳＳＲ（ソリッドステートリレー）を設け、内部の二ヶ所に設けた温度センサから検出される温度に応じて自動的にヒータの電源をＯＮ／ＯＦするように構成している。尚、符号９は、焼却炉１を冷却するための冷却ファンである。
【００３０】
この焼却炉１は、医療廃棄物等の廃棄物を焼却する際、炉内を窒素雰囲気に置換してから５００℃程度で焼却する。具体的には、焼却炉１に窒素供給管10を介して不活性ガス供給部７としての窒素供給部を連設している。
【００３１】
窒素供給部は、常に一定量の窒素を焼却炉１に供給するのではなく、焼却炉１内に存する酸素を押し出すように大量に供給して一気に窒素雰囲気に置換した後、少量ずつ供給するように流量コントローラーを設定している。これにより、一定量の窒素を供給する場合に比し、約４割程度窒素の供給量が少なくて済み、経済的となる。
【００３２】
窒素雰囲気に置換して焼却炉１において加熱・焼却する廃棄物から生じる燃焼ガスにはダイオキシン類が含まれていないが、他の有害物質等の不純成分が含まれているので、これらの不純成分を除去すべく、この焼却炉１と排気管11を介して連設される冷却槽２に導入する。尚、５００℃程度で加熱することで廃棄物からは燃焼ガスが抜け、炉内には無害化した炭化物のみが残ることになり、この炭化物の処理も容易である。
【００３３】
冷却槽２には、冷却水が自動的に供給されるクーリングタワー12から循環ポンプで冷却水が循環せしめられる冷却管13を配設している。
【００３４】
また、冷却槽２には、冷却槽２の下部に設けた貯留部８に貯留される冷却水を汲み上げて冷却槽２内に循環噴霧するシャワー部14を設けている。
【００３５】
従って、排気管11を介して導入された燃焼ガスは、冷却槽２内において上記冷却管13とシャワー部14とによって冷却せしめられ、この燃焼ガスに含まれる上記不純成分は液化し、燃焼ガスから除去されて前記貯留部８に溜まることになる。
【００３６】
即ち、本実施例は、貯留部８に上記液化した不純成分を含んだ冷却水を貯留せしめ、これを循環噴霧することで燃焼ガスを冷却する構成であるから、この液化した不純成分を一々外部に取り出して処分する必要なく、半永久的に冷却槽２内を循環せしめることができるから、水道水等の使用量を減らすことができると共に、不純成分の処理も容易となる。例えば、廃棄物が塩ビ系であれば燃焼ガスにはＨＣｌが含まれるが、これを冷却して液化せしめて冷却液として循環利用することで、このＨＣｌの処理作業が不要となる。
【００３７】
また、冷却管13とシャワー部14とを併用する構成であるから、従来の熱交換器に比し、効率良く冷却を行うことができ、それだけ装置の小型化を図ることができる。
【００３８】
また、汚れた冷却管13に上記冷却液を噴霧するとこの冷却管13を洗浄することができる（例えば医療廃棄物等を焼却した場合、溶剤系ガスが含まれるため。）。
【００３９】
この冷却槽２を通過すると、焼却炉１から４００℃程度で排出された燃焼ガスは３０℃程度まで冷却され、この燃焼ガスに含まれる不純成分は約３％程度となる（焼却炉１から排出される燃焼ガスには９０％程度の不純成分が含まれている。）。
【００４０】
尚、冷却槽２の貯留部８に溜まった冷却水（液化物、初動時は水）に含まれる不純成分は再利用可能なレベルで回収が可能である（例えば、廃棄物がゴム系であれば重油（７０〜８０％）、塩ビ系であればＨＣｌ若しくは塩素ガスを回収できる。即ち、本実施例は、一種類だけを焼却するのであれば精製プラントにもなる。）。
【００４１】
本実施例においては、更に前記冷却槽２と吸着槽４との間に排気管11を介して仕上げ冷却槽23を設けている。尚、本実施例においては、冷却槽２と仕上げ冷却槽23とを備えた構成としているが、３以上冷却槽を設けた構成としても良い。
【００４２】
この仕上げ冷却槽23には、上記冷却槽２と同様に冷却管13とシャワー部14とが設けられており、前記冷却槽２を通過した燃焼ガスを冷却する。ただし、冷却槽２において液化するべき不純成分は既に液化しているため、この仕上げ冷却槽23は、主に燃焼ガスの温度を更に（水温程度まで）低下させるために存在する（当然、不純成分が残っていればこれを液化させる。）。
【００４３】
また、仕上げ冷却槽23の冷却管13には、上記クーリングタワー12からの冷却水を循環せしめ、シャワー部14からは、後記吸着槽４の貯留部16に溜まる水を循環噴霧するように構成している。
【００４４】
吸着槽４には、冷却槽２及び仕上げ冷却槽23を通過した前記燃焼ガスを導入する。
【００４５】
吸着槽４は、吸着層３を所定間隔で二層設けた構成で、各冷却層３の上部には夫々冷却層３に水を噴霧するシャワー部15が設けられている。尚、吸着層３は、１つでも、また、３以上設けた構成としても良い。
【００４６】
具体的には、シリコンチューブを多数密集状態に設けて吸着層３を構成し、この多数密集状態に設けたシリコンチューブに水をかけてこのシリコンチューブ間を燃焼ガスが時間をかけて通過するように構成している。即ち、シリコンチューブ間の水が負荷となり且つこの水にガスが溶けることになり、シリコンチューブには燃焼ガスに含まれる塵埃が吸着除去される。
【００４７】
また、吸着槽４の下部には吸着層３にかける水を貯留する貯留部16を設け、この貯留部16の水をシャワー部15（及び仕上げ冷却槽23のシャワー部14）から循環噴霧するように構成している。この貯留部16には、水を供給すると共に、この貯留部16に溜まる水のｐＨ値をチェックして中性（ｐＨ値８以下）を保つように適宜な中和剤が投入される。
【００４８】
この貯留部16からはオバーフロー24を通じて前記吸着層３にかけた水を排出する。尚、この排水に含まれる不純成分を確実に除去するために、攪拌用のフィンが設けられ、固化剤が投入される排水貯部を前記オーバーフロー23の下流位置に設けて不純成分を降下沈殿させて除去するように構成しても良い。
【００４９】
また、本実施例においては、吸着層３を表面積が大きく揉み洗いが可能なシリコンチューブを多数密集状態に設けて構成しているが、球状，円筒状若しくは棒状の他の吸着材を多数密集状態に設けて構成しても良い。
【００５０】
更に、吸着槽４には、前記吸着層３を通過した前記燃焼ガスを再度この吸着層３を通過させるためのバイパス路６を設けている。
【００５１】
即ち、上記吸着層３は極めて良好な吸着除去能力を発揮するものであるが、本実施例においては、焼却炉１，冷却槽２，仕上げ冷却槽23及び吸着槽４内を大気圧に比してやや負圧（０．９８気圧程度）に保持するために、後述するように排気速度をそれだけ速く設定する必要があり、燃焼ガスが吸着層３を速く通過し過ぎてしまい残余の不純成分が十分吸着除去されないことも考えられるが、この吸着槽４の燃焼ガス排出側にバイパス入口６ａを連設し、循環ファン17によりこのバイパス入口６ａから前記吸着層３を通過した燃焼ガスを吸引して吸着槽４の燃焼ガス導入側に連設したバイパス出口６ｂから排出し、何度も吸着層３を通過せしめることで、この吸着層３により確実に不純成分を吸着除去するように構成している。
【００５２】
本実施例においては、燃焼ガスの排気速度を所定の速度に設定することで、焼却炉１，冷却槽２，仕上げ冷却槽23及び吸着槽４内を大気圧に比してやや負圧（０．９８気圧程度）に保持している。
【００５３】
具体的には、冷却槽２，仕上げ冷却槽23及び吸着槽４を通過した前記燃焼ガスの排気経路上に排気ファン18を設け、この排気ファン18による排気速度を排気駆動機構５（サーボモータ）を適宜制御することで調整する。本実施例においては、焼却炉１と冷却槽２との間の排気管に設けた圧力センサで検出される圧力に応じて排気駆動機構５が適宜な出力となるようにインバータを用いて制御して上記焼却炉１，冷却槽２，仕上げ冷却槽23及び吸着槽４の内圧を所定圧力に保持する。
【００５４】
尚、本実施例には、排気ファン18の排気速度は１ｍ３／分、循環ファン17の排気速度は９ｍ３／分に設定している。即ち、循環ファン17の排気速度をより速く設定して吸着層３による不純成分の吸着を確実に行えるように設定している。
【００５５】
また、本実施例においては、排気ファン18の上流側位置には、複数のフィルター19を設けた公知のフィルターボックス20と、吸着材21を充填した吸着塔22を設けており、これらにより吸着槽４においても吸着し切れなかった不純成分を除去できる構成であるが、上記吸着槽４において大半の塵埃等は除去されているから、これらの交換は頻繁に行わなくても良い。
【００５６】
本実施例は上述のように構成したから、例えば医療廃棄物等の有機物・無機物が混在する廃棄物であっても、ダイオキシン類や他の有害物質等を外部に放出することなくこれらを焼却処分することが可能となる。
【００５７】
具体的には、焼却炉１に廃棄物を投入して窒素を充填し、廃棄物が酸化しない状態で加熱・焼却すると、廃棄物からはダイオキシン類が含まれない燃焼ガスが生じる。
【００５８】
また、ダイオキシン類以外の有害物質等の不純成分は、冷却槽２及び吸着槽４により除去することができる。
【００５９】
具体的には、冷却槽２において前記燃焼ガスを冷却することで、この燃焼ガスに含まれる前記不純成分を液化せしめて燃焼ガスから除去する。
【００６０】
この際、この冷却槽２には液化した前記不純成分を溜めておく貯留部８を設け、液化した不純成分を冷却液として冷却槽２内に循環噴霧せしめることでこの冷却槽２を通過する前記焼却ガスを冷却するように構成しているから、液化した不純成分を外部に廃棄することなく、半永久的に冷却液として利用できることになり、処理が厄介な毒劇物等の処理が極めて容易となる。
【００６１】
更に、吸着槽４において多数の吸着材から成り水等の液体が噴霧せしめられる吸着層３に前記燃焼ガスを通過せしめることにより、不純成分を吸着除去する。
【００６２】
この際、多数の吸着材間には前記水が存する状態となるから、燃焼ガスがこの吸着材間を抜ける時間が長くなり、それだけ吸着層３における不純成分の吸着が良好に行われることになる。
【００６３】
特に、揉み洗い可能なシリコンチューブを多数密集状態に設けることにより前記吸着層３を構成したから、不純成分を良好に吸着除去できるのは勿論、安価にしてメンテナンスも容易で極めて経済的となる。また、更に前記吸着層３を備えた吸着槽４に、前記吸着層３を通過した前記燃焼ガスを再度この吸着層３を通過させるためのバイパス路６を設けたから、一層効率的に前記燃焼ガスから不純成分を除去できることになる。
【００６４】
その上、前記焼却炉１，冷却槽２，仕上げ冷却槽23及び吸着槽４の内圧を夫々大気圧に対して負圧に設定することで、外部に前記燃焼ガスが漏出せず、前記冷却槽２及び吸着槽４を確実に通過させ、前記燃焼ガスから不純成分を除去して無害化し且つ低温化した状態で外部に放出できる。
【００６５】
また、前記焼却炉１に、窒素を焼却炉１内に存する酸素を押し出すように大量に供給して窒素雰囲気に置換した後、少量ずつ供給する窒素供給部を設けたから、不活性ガスとしての窒素の過剰な供給を阻止して一層効率的な運転が可能となる。
【００６６】
従って、本実施例は、不活性ガス雰囲気下で廃棄物を焼却してダイオキシン類を発生させないのは勿論、燃焼ガスを低温化し且つ他の有害物質も除去して無毒化して放出でき、しかも、これらを簡単且つ安価な装置構成で実現できる極めて実用性に秀れた廃棄物焼却装置となる。
【００６７】
尚、本発明は、本実施例に限定されるものではなく、各構成要件の具体的構成は適宜設計し得るものである。
【図面の簡単な説明】
【００６８】
【図１】本実施例の概略説明図である。
【符号の説明】
【００６９】
１  焼却炉
２  冷却槽
３  吸着層
４  吸着槽
５  排気駆動機構
６  バイパス路
７  不活性ガス供給部
８  貯留部
【図１】
2006226630.tif 000003